(57)【特許請求の範囲】
【請求項１】
処理プラントの制御システムでの使用のための通信システムであって、
バルブ本体またはバルブアクチュエータである少なくとも１つの処理プラント資産と、
前記資産に操作可能に結合された資産データモジュールであって、プロセッサと、前記プロセッサに操作可能に結合されたメモリと、前記メモリに操作可能に結合された少なくとも１つの入力および少なくとも１つの出力と、を備え、
前記メモリは、元の資産データを格納するように構成され、前記資産が前記処理プラント内で使用中である間に、前記入力経由で前記資産と関連付けられた操作データを受信するように更に構成される、資産データモジュールと、
前記メモリ上に格納され、前記プロセッサによって実行可能な制御モジュールおよび構成データであって、前記制御モジュールは、前記構成データに基づいて制御命令を前記資産に提供し、前記操作データを監視するように構成され、前記構成データは、インストールを単純化すると共に不正確な構成のために生じ得る間違いを減らすために、前記資産データモジュールによって、関連付けられた資産データモジュールから受信され、または同関連付けられた資産データモジュールへ送信される、制御モジュールおよび構成データと、を備え、
前記関連付けられた資産データモジュールは、前記バルブ本体またはバルブアクチュエータ用のバルブコントローラに操作可能に連結され、
前記資産データモジュールは、前記メモリから前記元の資産データおよび前記操作データを検索するように構成され、前記資産が使用中であろうと使用停止中であろうと、前記元の資産データおよび前記操作データにアクセスするように更に構成された、近距離場通信インターフェースを更に含み、
前記近距離場通信インターフェースは、前記処理プラントの前記制御システムへ前記元の資産データおよび操作データを通信するために、前記読み取り機と通信して前記元の資産データおよび前記操作データを前記読み取り機に通信するように構成された、通信システム。
【請求項２】
前記近距離場通信インターフェースは、前記近距離場通信インターフェースと一体のプロセッサとのデータ交換を提供するように構成される、請求項１に記載の通信システム。
【請求項３】
前記制御モジュールは、資産に処理関連機能を制御させるように構成される、請求項１〜２のいずれかに記載の通信システム。
【請求項４】
前記資産データモジュールは、資産操作データを取得するように処理関連機能を監視するために構成される、請求項１〜３のいずれかに記載の通信システム。
【請求項５】
前記資産データモジュールに操作可能に結合された遠距離場通信インターフェースを更に含む、請求項１〜４のいずれかに記載の通信システム。
【請求項６】
前記近距離場通信インターフェースと関連付けられた第１の通信プロトコルは、前記遠距離場通信インターフェースと関連付けられた第２の通信プロトコルから独立している、請求項１〜５のいずれかに記載の通信システム。
【請求項７】
バルブ本体またはバルブアクチュエータである処理プラント資産での使用のための資産データモジュールであって、
少なくとも１つの入力および少なくとも１つの出力に操作可能に結合された一体型プロセッサと、
前記プロセッサ、前記入力、および前記出力に操作可能に結合された一体型メモリであって、当該メモリは、元の資産データを格納するように構成され、前記資産が処理プラント内で使用中である間に、前記入力経由で前記資産と関連付けられた操作データを受信するように更に構成される、当該メモリと、
前記メモリ上に格納され、前記プロセッサによって実行可能な制御モジュールおよび構成データであって、前記制御モジュールは、前記構成データに基づいて制御命令を前記資産に提供し、前記操作データを監視するように構成され、前記構成データは、インストールを単純化すると共に不正確な構成のために生じ得る間違いを減らすために、前記資産データモジュールによって、関連付けられた資産データモジュールから受信され、または同関連付けられた資産データモジュールへ送信される、制御モジュールおよび構成データと、を備え、
前記関連付けられた資産データモジュールは、前記バルブ本体またはバルブアクチュエータ用のバルブコントローラに操作可能に連結され、
前記メモリから前記元の資産データおよび前記操作データを検索するように構成され、前記資産が使用中であろうと使用停止中であろうと、前記元の資産データおよび前記操作データにアクセスするように更に構成された、近距離場通信インターフェースとであって、
ユーザへ前記元の資産データおよび前記操作データを通信するために、近距離場通信読み取り機と通信するように構成された、近距離場通信インターフェースと、を備える、資産データモジュール。
【請求項８】
前記近距離場通信インターフェースは、前記近距離場通信読み取り機と前記一体型プロセッサとの間のデータ交換を提供するように構成される、請求項７に記載の資産データモジュール。
【請求項９】
前記制御モジュールは、資産に処理関連機能を制御させるように構成される、請求項７〜８のいずれかに記載の資産データモジュール。
【請求項１０】
前記資産データモジュールは、資産操作データを取得するように処理関連機能を監視するために構成される、請求項７〜９のいずれかに記載の資産データモジュール。
【請求項１１】
遠距離場通信インターフェースを更に備える、請求項７〜１０のいずれかに記載の資産データモジュール。
【請求項１２】
前記近距離場通信インターフェースと関連付けられた第１のプロトコルは、前記遠距離場通信インターフェースと関連付けられた第２のプロトコルから独立している、請求項７〜１１のいずれかに記載の資産データモジュール。
【請求項１３】
バルブ本体またはバルブアクチュエータである処理プラントの資産での使用のための資産データモジュールであって、
少なくとも１つの入力および少なくとも１つの出力に操作可能に結合された一体型プロセッサであって、前記入力は、処理プラント操作と関連付けられた操作データを受信するように構成される、一体型プロセッサと、
前記メモリ上に格納され、前記プロセッサによって実行可能な制御モジュールおよび構成データであって、前記制御モジュールは、前記構成データに基づいて制御命令を前記資産に提供し、前記操作データを監視するように構成され、前記構成データは、インストールを単純化すると共に不正確な構成のために生じ得るエラーを減少するために、前記資産データモジュールによって、関連付けられた資産データモジュールから受信され、または同関連付けられた資産データモジュールへ送信される、制御モジュールおよび構成データと、を備え、
前記関連付けられた資産データモジュールは、前記バルブ本体またはバルブアクチュエータ用のバルブコントローラに操作可能に連結され、
元の資産データを格納するように構成された一体型メモリであって、前記資産が前記処理プラント内で使用中である間に、前記入力経由で前記操作データを受信するように更に構成され、
前記プロセッサが、制御命令を前記資産に提供し前記操作データを監視するよう前記制御モジュールを実行するように構成される、一体型メモリと、
ユーザによる前記元の資産データおよび前記操作データへのアクセスを許可するために、前記メモリ内に格納された前記元の資産データおよび前記操作データへのアクセスを提供するように構成された、近距離場通信インターフェースと、を備える、資産データモジュール。
【請求項１４】
前記制御モジュールは、資産に処理関連機能を制御させるように構成される、請求項１３に記載の資産データモジュール。
【請求項１５】
前記資産データモジュールは、資産操作データを取得するように処理関連機能を監視するために構成される、請求項１３〜１４のいずれかに記載の資産データモジュール。
【請求項１６】
前記近距離場通信インターフェースはパッシブである、請求項１３〜１５のいずれかに記載の資産データモジュール。
【請求項１７】
前記近距離場通信インターフェースは、バッテリ補助電力を備える、請求項１３〜１６のいずれかに記載の資産データモジュール。
【請求項１８】
前記近距離場通信インターフェースはアクティブである、請求項１３〜１７のいずれかに記載の資産データモジュール。
【請求項１９】
遠距離場通信インターフェースを更に備える、請求項１３〜１８のいずれかに記載の資産データモジュール。
【請求項２０】
前記近距離場通信インターフェースと関連付けられた第１のプロトコルは、前記遠距離場通信インターフェースと関連付けられた第２のプロトコルから独立している、請求項１３〜１９のいずれかに記載の資産データモジュール。
【請求項２１】
処理プラントデジタル自動化システムの資産の資産データモジュールに関連した処理プラント資産データを通信する方法であって、
少なくとも１つの入力および少なくとも１つの出力に操作可能に結合された一体型プロセッサを提供することと、
前記プロセッサに操作可能に結合された一体型メモリを提供することと、
前記メモリ内に元の資産データを格納することと、
前記資産が前記処理プラント内で使用中である間、処理プラント操作と関連付けられた操作データを前記メモリ内への格納のために前記入力に提供することと、
制御モジュールおよび構成データを前記プロセッサによる実行のために前記メモリ上に格納すること、前記制御モジュールは制御命令を前記資産に提供しかつ前記構成データに基づいて前記操作データを監視するように構成され、前記構成データは、インストールを単純化すると共に不正確な構成のために生じ得るエラーを減少するために、前記資産データモジュールによって、関連付けられた資産データモジュールから受信され、または同関連付けられた資産データモジュールへ送信され、前記関連付けられた資産データモジュールはバルブコントローラである、と、
メモリ内に資産データアクセスルーチンを格納することと、
前記資産データアクセスルーチンが実行されるときに、前記メモリ内に格納された前記元の資産データおよび前記資産操作データへのアクセスを提供するように構成された、近距離場通信インターフェースを提供することと、を含む、方法。
【請求項２２】
前記制御モジュールが、資産に処理関連機能を制御させるように構成される、請求項２１に記載の処理プラントデジタル自動化システムで資産データモジュールに関連した処理プラント資産データを通信する方法。
【請求項２３】
前記資産データモジュールが、資産操作データを取得するように処理関連機能を監視するために構成される、請求項２１に記載の処理プラントデジタル自動化システムで資産データモジュールに関連した処理プラント資産データを通信する方法。
【請求項２４】
前記近距離場通信インターフェースがパッシブである、請求項２１に記載の処理プラントデジタル自動化システムで資産データモジュールに関連した処理プラント資産データを通信する方法。
【請求項２５】
前記近距離場通信インターフェースがバッテリ補助電力を備える、請求項２１に記載の処理プラントデジタル自動化システムで資産データモジュールに関連した処理プラント資産データを通信する方法。
【請求項２６】
前記近距離場通信インターフェースがアクティブである、請求項２１に記載の処理プラントデジタル自動化システムで資産データモジュールに関連した処理プラント資産データを通信する方法。
【請求項２７】
遠距離場通信インターフェースを更に備える、請求項２１に記載の処理プラントデジタル自動化システムで資産データモジュールに関連した処理プラント資産データを通信する方法。
【請求項２８】
前記近距離場通信インターフェースと関連付けられた第１のプロトコルは、前記遠距離場通信インターフェースと関連付けられた第２のプロトコルから独立している、請求項２７に記載の処理プラントデジタル自動化システムで資産データモジュールに関連した処理プラント資産データを通信する方法。
【発明の詳細な説明】
【技術分野】
【０００１】
本開示は、一体型無線周波数識別（ＲＦＩＤ）モジュールを含む処理および製造プラントにおける使用のための資産に関するものである。より詳細には、本開示は、関連付けられた読み取り機に資産特定情報を通信するように構成されたＲＦＩＤモジュールを有するプラント資産に関するものである。
【背景技術】
【０００２】
近距離場通信（ＮＦＣ）‐ＲＦＩＤは、多数の現代のデバイスに組み込まれる。ＮＦＣ‐ＲＦＩＤ技術の最も一般的な使用の２つは、クレジットカードおよび個人識別バッジ内のものである。所与のクレジットカードが対応する読み取り機の近くに通されると、クレジットカード取引が処理される。同様に、個人識別バッジが対応する読み取り機の近くに通されると、無人入口ゲート、または回転式ドアが、入ることを許可する。
【０００３】
ＲＦＩＤは、（質問機としても知られる）読み取り機、および（タグもしくはラベルとしても知られる）トランスポンダーとして知られるハードウェア、ならびにＲＦＩＤソフトウェアまたはＲＦＩＤミドルウェアを含む。誘導的に結合されるＮＦＣ−ＲＦＩＤシステムは、読み取り機内の一次コイルと、トランスポンダー内の二次コイルとの間を結合する変圧器の類に基づく。典型的には、結合は、トランスポンダーが読み取り機のアンテナの近距離場に位置するように、対応するコイル間の距離が約０．１６フィート内にあるときに生じる。電気エネルギーは、読み取り機内の一次コイルとトランスポンダー内の二次コイルとの間の電磁結合によって読み取り機からトランスポンダーに伝達される。
【０００４】
ＲＦＩＤは、パッシブである（バッテリを使用しない）か、アクティブである（すなわち、トランスポンダーが実装されたバッテリを有し、信号をブロードキャストするか誘導する）か、またはトランスポンダーが読み取り機に近接したときに作動される実装された小型バッテリを組み込むバッテリ補助型パッシブ（ＢＡＰ：ｂａｔｔｅｒｙ  ａｓｓｉｓｔｅｄ  ｐａｓｓｉｖｅ）であり得る。いくつかのＲＦＩＤトランスポンダーは、数メートル離れたところから、また、読み取り機の見通し線を超えて、読み取られる。ＮＦＣ−ＲＦＩＤは、対応する読み取り機にごく近接しているトランスポンダーに頼るシステムに関連する。共振トランスポンダーが読み取り機のアンテナの交番磁場内に配置される（すなわち、トランスポンダーの自己共振周波数が読み取り機の伝送周波数に対応する）と、トランスポンダーは、読み取り機によって生成された磁場からエネルギーを引き出す。この追加的な電力消費は、読み取り機のアンテナへの供給電流を通した読み取り機のアンテナ内の内部抵抗における電圧降下として測定され得る。従って、トランスポンダーのアンテナにおける負荷抵抗のスイッチングのオンやオフは、読み取り機のアンテナにおける電圧変化を生じさせ、それ故、遠隔トランスポンダーによるアンテナ電圧の振幅変調の影響がある。負荷抵抗器のスイッチングのオンやオフがデータによって制御されると、このデータはトランスポンダーから読み取り機に伝送され得る。この種のデータ伝送は、負荷変調と呼ばれる。読み取り機内でデータを復元するために、読み取り機のアンテナで測定された電圧が整流される。これは、振幅変調された信号の復調を表す。
【０００５】
ＲＦＩＤ技術の発展と同時に、現代の製造および処理プラントにおけるデジタルフィールドデバイスの使用は、かなり普通になってきている。多くの場合、デジタルフィールドデバイスは、所与の資産の一体型部分を形成する。用語「一体型」は、所与の資産が移動され得る場合は必ず、素子（すなわち、デジタルフィールドデバイス）が、所与の資産に固定されたままであり、所与の資産と共に残ることが意図されることを意味するように、本明細書において使用される。「修理可能な」部品であると考えられる資産は、多くの場合、使用停止とされ、再構築され、その後、後の使用のためにプラント倉庫内に格納されるかサービスするために戻される、一般により高価な資産である。任意の所与の資産は、プラントの異なる範囲内でサービスするために戻され得るか、全て共に、異なるプラント内に使用中に置かれ得る。
【０００６】
高価なプラント資産の一体型部品と共に残り、その資産の一体型部品を形成する、対応する元の資産データ、資産構成データ、資産履歴操作データおよび資産履歴保守データのストレージと、それらのデータへのアクセスを提供することが望ましくなっている。実時間の資産操作データおよび診断情報へのアクセスと、それらとの相互作用を提供することが、等しく望ましい。所与の資産が使用停止中である場合でさえも、資産データへのアクセスを有することは、特に望ましい。
【発明の概要】
【課題を解決するための手段】
【０００７】
処理プラントの制御システムでの使用のための通信システムは、操作可能に結合された資産データモジュールを有する少なくとも１つの処理プラント資産を組み込む。前記処理プラント資産はバルブ本体またはバルブアクチュエータである。資産データモジュールは、プロセッサと、プロセッサに操作可能に結合されたメモリと、メモリに操作可能に結合された少なくとも１つの入力および少なくとも１つの出力と、を含む。メモリは、元の資産データを格納するように構成される。メモリは、資産が処理プラント内で使用中である間に、入力経由で資産と関連付けられた操作データを受信するように更に構成される。制御モジュールおよび構成データは、メモリ上に格納され、前記制御モジュールは、プロセッサによって実行可能であり、前記構成データに基づいて制御命令を資産に提供し、操作データを監視するように構成され、前記構成データは、インストールを単純化すると共に不正確な構成のために生じ得る間違いを減らすために、前記資源データモジュールによって、関連付けられた資産データモジュールから受信され、または同関連付けられた資産データモジュールへ送信される。前記関連付けられた資産データモジュールは、前記バルブ本体またはバルブアクチュエータ用のバルブコントローラに操作可能に連結されている。前記資産データモジュールは、近距離場通信インターフェースが含まれており、メモリから元の資産データおよび操作データを検索するように構成される。近距離場通信インターフェースは、資産が使用中であろうと使用停止中であろうと、元の資産データおよび操作データにアクセスするように更に構成される。近距離場通信インターフェースは、処理プラントの制御システムへ元の資産データおよび操作データの通信するために、前記読み取り機と通信して元の資産データおよび操作データを読み取り機に通信するように構成される。
【０００８】
資産データモジュールは、少なくとも１つの入力および少なくとも１つの出力を有する一体型プロセッサを含む。プロセッサは、処理制御および／または監視ルーチンを実行するように構成される。資産データモジュールはまた、デバイスがプラント処理内で使用中である間に、デバイスについての元の資産情報およびデバイスに関連した操作データを格納するように構成された一体型メモリを含む。近距離場通信インターフェースが含まれており、メモリ内に格納された元の資産情報および操作データへのアクセスを提供するように構成される。近距離場通信インターフェースは、資産データモジュールが使用中であろうと使用停止中であろうと、データにアクセスするように更に構成される。
【０００９】
別の実施形態では、資産データモジュールは、少なくとも１つの入力および少なくとも１つの出力を有する一体型プロセッサを含む。資産データモジュールはまた、一体型メモリの中に格納されたデバイスについての元の資産情報を有する当該一体型メモリを含む。デバイスに関連した操作データは、デバイスがプラント処理内で使用中である間にメモリ内に格納される。近距離場通信インターフェースは、資産データモジュールに組み込まれ、メモリ内に格納された元の資産情報および操作データへのアクセスを提供するように構成される。
【００１０】
更に別の実施形態では、資産データモジュールに関連したデータを提供する方法は、少なくとも１つの入力および少なくとも１つの出力を有する一体型プロセッサを提供することと、一体型メモリを提供することと、デバイスがプラント処理内で使用中である間にデバイスについての元の資産情報を格納することとデバイスに関連した操作データをメモリ内に格納することと、を含む。方法はまた、資産データモジュールのメモリ内にデバイスデータアクセスルーチンを格納することと、デバイスデータアクセスルーチンが実行されるときに、メモリ内に格納された元の資産情報および操作データへのアクセスを提供するように構成された近距離場通信インターフェースを提供することと、を含む。
【００１１】
なお更なる実施形態では、資産データモジュールは一体型プロセッサを含む。資産データモジュールはまた、一体型メモリの中に格納されたデバイスについての元の資産情報を有する当該一体型メモリを含む。デバイスに関連した操作データは、デバイスがプラント処理内で使用中である間にメモリ内に格納される。近距離場通信インターフェースは、資産データモジュールに組み込まれ、メモリ内に格納された元の資産情報および操作データへのアクセスを提供するように構成される。
【００１２】
この発明の概要および以下の発明を実施するための形態に記載された特徴や利点は、包括的なものではない。多くの追加的な特徴や利点は、図面、明細書、およびこれの特許請求の範囲に照らして当業者に明らかになる。
【図面の簡単な説明】
【００１３】
【図１】プラントデジタル自動化システムのブロック図を描写する。
【図２】一体型近距離場通信またはＲＦＩＤモジュールを含む資産データモジュールのブロック図を描写する。
【図３】近距離場通信またはＲＦＩＤアセンブリのブロック図を描写する。
【図４】無線周波数指定に関連する周波数グラフを描写する。
【発明を実施するための形態】
【００１４】
プラント資産は、近距離場通信（ＮＦＣ）インターフェースを含む無線周波数識別（ＲＦＩＤ）モジュールを含む。所与の資産が新しい場合、元の資産データ、例えば、モデル番号、通し番号、導入マニュアル、資産のデジタル写真、資産操作マニュアル、資産保守マニュアル、資産仕様書シート、資産図面などは、対応する資産データモジュール内に格納され得る。処理中に所与の資産を導入する間、対応する資産データモジュール内に格納される構成データは、導入を単純化し、不正確な構成に起因して生じ得る間違いを減らすために、関連付けられた資産データモジュールと自動的に通信され得る。使用中に一旦置かれると、資産データルーチンは、対応する資産構成データ、資産操作履歴および資産保守履歴を資産に、例えば資産データモジュール内に格納させる対応するプロセッサによって実行される。更に、所与の資産が操作中の間、処理プラント内の処理と関連付けられた操作情報であって、それを用いて所与の資産が導入される当該操作情報、ならびに実時間の資産データに関連した情報および資産診断情報は、ＮＦＣインターフェース経由でアクセス可能である。
【００１５】
ＲＦＩＤ技術は、読み取り機と、資産識別および追跡の目的のために資産に取り付けられたトランスポンダーとの間でデータを伝送するために電波を使用する。ＲＦＩＤは、プラント内の各フィールドデバイスに、例えば、それ自体の固有識別番号を与えることにより、資産、原材料、人間、仕掛け品、在庫品などに、個々の固有識別子を有する提供することを可能にする。その上、パッシブなＲＦＩＤトランスポンダー（バッテリ無しのトランスポンダー）は、ＲＦＩＤ読み取り機が十分にごく近接内に通過されるときに読み取られる。トランスポンダーを読み取り機デバイスに対する見通し線内に有する必要はない。トランスポンダーは、トランスポンダーが筺体の内側に収容される場合でさえも、読み取られ得る。
【００１６】
ここで図１を参照にすると、プラントデジタル自動化システム１００は、１つ以上の通信ネットワークによって多数のプラント制御および／または監視デバイスと相互接続された多数のビジネスならびに他のコンピュータシステムを含む。プラントデジタル自動化システム１００は、１つ以上の処理制御システム１１２および１１４を含む。処理制御システム１１２は、アナログの、また、ハイウェイアドレス指定可能な遠隔トランスミッタ（ＨＡＲＴ：Ｈｉｇｈｗａｙ  Ａｄｄｒｅｓｓａｂｌｅ  Ｒｅｍｏｔｅ  Ｔｒａｎｓｍｉｔｔｅｒ）フィールドデバイス１１５などの種々のフィールドデバイスに結合される、コントローラ１１２Ｂにおよび入出力（Ｉ／Ｏ）カード１１２Ｃに結合された操作員インターフェース１１２Ａを含むＰＲＯＶＯＸまたはＲＳ３システムあるいは任意の他の分散型制御システム（ＤＣＳ）などの伝統的な処理制御システムであり得る。処理制御システム１１４は、分散型処理制御システムであり得、イーサネット（登録商標）バスのような通信バス経由で１つ以上の分散型コントローラ１１４Ｂに結合された１つ以上の操作員インターフェース１１４Ａを含む。コントローラ１１４Ｂは、例えば、テキサス、オースティンのＦｉｓｈｅｒ‐Ｒｏｓｅｍｏｕｎｔ  Ｓｙｓｔｅｍｓ，Ｉｎｃ．によって販売されたＤｅｌｔａＶ（登録商標）コントローラ、または任意の他の所望の種類のコントローラであり得る。コントローラ１１４Ｂは、例えば、ＰＲＯＦＩＢＵＳ（登録商標）、ＷＯＲＬＤＦＩＰ（登録商標）、Ｄｅｖｉｃｅ‐Ｎｅｔ（登録商標）、ＡＳ‐インターフェースおよびＣＡＮプロトコルのいずれかを使用するものを含む、１つ以上のフィールドデバイス１１６、例えば、ＨＡＲＴまたはフィールドバスフィールド（ＦＦ：Ｆｉｅｌｄｂｕｓ  ｆｉｅｌｄ）デバイスあるいは任意の他のスマートまたは非スマートフィールドデバイスにＩ／Ｏデバイス経由で接続される。既知のように、フィールドデバイス１１６は、処理変数のみならず他のデバイス情報に関連したアナログまたはデジタル情報をコントローラ１１４Ｂに提供し得る。操作員インターフェース１１４Ａは、例えば、制御オプティマイザ、診断エキスパート、ニューラルネットワーク、チューナーなどを含む、処理の操作を制御するために処理制御操作員に利用可能であるツールを格納し実行し得る。ＮＦＣインターフェースを有するＲＦＩＤモジュールの関連資産内への組み込みは、所与の資産が使用停止中である場合でさえも、プラント人員が、資産データにアクセスし、資産データを処理制御システム１１２、１１４に組み入れることを可能にする。
【００１７】
コンピュータシステム１３０が提供され、そのコンピュータシステム１３０は、処理制御システム１１２や１１４、コンピュータ１１８、１１４Ａ、１２２や１２６内に実装されるものなどのような操作および保守システムコンピュータならびにビジネス機能を含む、プラントデジタル自動化システム１００内の種々の機能的システムと関連付けられたコンピュータまたはインターフェースに通信可能に接続される。特に、コンピュータシステム１３０は、伝統的な処理制御システム１１２に、また、所与の制御システムと関連付けられた保守インターフェース１１８に通信可能に接続される。コンピュータシステム１３０は、すべてバス１３２経由で、分散型処理制御システム１１４の処理制御および／または保守インターフェース１１４Ａに接続され、回転機器保守コンピュータ１２２に、ならびに発電および配電コンピュータ１２６に接続される。バス１３２は、通信を提供するために任意の所望のもしくは適切なローカルエリアネットワーク（ＬＡＮ）またはワイドエリアネットワーク（ＷＡＮ）プロトコルを使用し得る。ＮＦＣインターフェースを有するＲＦＩＤモジュールをコンピュータシステム１３０に組み込むことは、所与の資産が使用停止中である場合でさえも、プラント人員が資産データにアクセスし、コンピュータシステム１３０に資産データを組み入れることを可能にする。
【００１８】
図１に例示されるように、コンピュータ１３０はまた、ビジネスシステムコンピュータおよび保守計画コンピュータ１３５や１３６に同じもしくは異なるネットワークバス１３２経由で接続され、そのコンピュータ１３５や１３６は、例えば、企業資源計画（ＥＲＰ）、物的資源計画（ＭＲＰ）、コンピュータ保守管理システム（ＣＭＭＳ）、会計、生産および顧客発注システム、保守計画システム、または、部品、供給品および原材料発注アプリケーション、生産スケジューリングアプリケーションなどの任意の他の所望のビジネスアプリケーションを実行し得る。コンピュータ１３０はまた、例えばバス１３２経由で、プラント範囲ＬＡＮ１３７、企業ＷＡＮ１３８に、ならびに遠隔位置からプラント１００の遠隔監視、またはプラント１００との通信を可能にするコンピュータシステム１４０に、接続され得る。ＮＦＣインターフェースを有するＲＦＩＤモジュールの組み込みは、所与の資産が使用停止中である場合でさえも、プラント人員が資産データにアクセスし、資産データをビジネスシステムコンピュータおよび保守計画コンピュータ１３５に組み入れることを可能にする。
【００１９】
なお更に、操作および保守システム、例えば資産管理ソリューション（ＡＭＳ）アプリケーションを実行するコンピュータ１１８または任意の他のデバイス監視および通信モジュールなどは、保守や監視活動を実行するために処理制御システム１１２や１１４にあるいはそれらの中の個々のデバイス１１５に接続され得る。例えば、操作および保守コンピュータ１１８は、フィールドデバイス１１５上の他の保守活動と通信するために、場合によっては、その保守活動を再構成するか実行するために、（無線か手持ち式デバイスネットワークを含む）任意の所望の通信回線もしくはネットワーク経由でコントローラ１１２Ｂにおよび／またはフィールドデバイス１１５に接続され得る。同様に、ＡＭＳアプリケーションなどの操作および保守アプリケーションは、フィールドデバイス１１６の操作状態に関連したデータ収集を含む、操作および保守監視機能を実行するために、分散型処理制御システム１１４と関連付けられたユーザインターフェースコンピュータ１１４Ａの１つ以上内に導入され得、また、そのユーザインターフェースコンピュータ１１４Ａの１つ以上によって実行され得る。ＮＦＣインターフェースを有するＲＦＩＤモジュールの組み込みは、所与の資産が使用停止中である場合でさえも、プラント人員が資産データにアクセスし、資産データを操作および保守コンピュータ１１８に組み入れることを可能にする。
【００２０】
プラントデジタル自動化システム１００はまた、読み取りを行うために機器１２０に接続された後に取り外されるバス、無線通信システムもしくは手持ち式ＮＦＣ読み取り機などの永続的または一時的通信リンク経由で、保守コンピュータ１２２に接続されるタービン、モータなどのような種々の回転機器１２０を含む。保守コンピュータ１２２は、既知の監視および診断アプリケーション１２３、例えば、テネシー、ノックスビルのＣＳＩ  Ｓｙｓｔｅｍｓによって販売されたＲＢＭｗａｒｅ（登録商標）、あるいは、回転機器１２０の操作状態を診断し、監視し、最適化するために使用される任意の他の既知のアプリケーションを格納し、実行し得る。保守人員は、普通、プラント１００内の回転機器１２０の性能を保持し監督するために、回転機器１２０に関する問題を決定するために、および、回転機器１２０がいつ修理されるか代替される必要があるか、また、その必要があるかどうかを決定するために、アプリケーション１２３を使用する。ＮＦＣインターフェースを有するＲＦＩＤモジュールの組み込みは、所与の資産が使用停止中である場合でさえも、プラント人員が資産データにアクセスし、資産データを回転機器１２０に組み入れることを可能にする。
【００２１】
同様に、プラントデジタル自動化システム１００と関連付けられた発電および配電機器１２５を有する発電ならびに配電システム１２４は、例えばバス経由で、別のコンピュータ１２６に接続され、そのコンピュータ１２６は、プラント内の発電および配電機器１２５の操作を実行し監督する。コンピュータ１２６は、発電および配電機器１２５を制御し保持するために、例えば、ＬｉｅｂｅｒｔやＡＳＣＯまたは他の会社によって提供されるものなどの、既知の電力制御および診断アプリケーション１２７を実行し得る。多くの場合、より高価で大型のフィールドデバイス、回転機器および発電／配電ユニットは使用停止中とされ、再構築され、また、後の使用のために倉庫／材料供給範囲内に置かれるかサービスに戻される。所与の資産は、プラントの異なる範囲内にまたは異なるプラント内に全て一緒に、使用中に置かれ得ることが理解されるべきである。近距離場通信（ＮＦＣ）読み取り機１１０は、任意の所与の資産についての元の資産データ、構成データ、実時間の操作データ、診断データ、履歴操作データ、履歴保守データ、それらのサブの組み合わせもしくは組み合わせを受信するおよび／または伝達するように利用され得る。ＮＦＣ読み取り機は、デジタルバルブコントローラ（ＤＶＣ）内に組み込まれ得る。
【００２２】
近距離場通信（ＮＦＣ）インターフェース（図３の要素３００）は、データ交換が所望される時に所与の資産１１７が使用停止中であるか否かに関わらず、データを任意の所与の資産から受信するおよび／または任意の所与の資産に伝達するように構成され得る。本明細書において使用される際、「使用停止中である」は、それの慣例的な意味を有し、いくつかの用途では、電力が外部の配線による供給源から所与の資産に付与されないという追加的な意味を有し得ることが理解されるべきである。パッシブなＮＦＣインターフェースは、バッテリ電力でさえ所与の資産内に提供されない場合において使用され得る。パッシブなＮＦＣインターフェース、または少なくとも部分的にパッシブなＮＦＣインターフェースを利用すると、元の資産データ、資産構成データ、資産履歴操作データおよび資産履歴保守データは、資産が使用中であるか否かを問わず、データが資産と共に移動し、アクセス可能であるように、所与の資産内に格納され得る。
【００２３】
図１を更に参照にして、また、図２を追加的に参照にして、資産データモジュール２００が一体型近距離場通信（ＮＦＣ）インターフェース２４０を含んで描写される。資産データモジュール２００は、任意の所与の処理プラント資産１１５、１１６、１１７、１２０、１２４の一体型部品として形成され得ることが理解されるべきである。資産データモジュール２００は、一体型プロセッサ２１０、離散入力２１５、アナログ入力２２０、離散出力２２５、アナログ出力２３０、一体型メモリ２３５、遠距離場通信デバイス２５５および遠距離場通信アンテナ２６０を含む。資産データモジュールは、一体型プロセッサ２１０、一体型メモリ２３５およびＮＦＣインターフェースを含み得、データロガーとして構成され得る。ＮＦＣインターフェース２４０は、集積回路２４５、ＮＦＣインターフェースメモリ２４７およびＮＦＣアンテナ２５０を含む。図１の処理プラントスーパーバイザ制御およびデータ取得システム１００の任意の所与の資産１１５、１１６、１１７、１２０、１２４は、資産データモジュール２００を組み込み得る。複数の処理プラント資産１１５、１１６、１１７、１２０、１２４は、処理プラントデジタル自動化システム１００に組み込まれ得、各資産は資産データモジュール２００を備える。各資産データモジュール２００は、種々のプラント操作と関連付けられた少なくとも１つの入力２１５、２２０および少なくとも１つの出力２２５、２３０を受信するように構成された一体型プロセッサ２１０を含む。一体型プロセッサ２１０は、処理制御ルーチンおよび／または処理監視ルーチンを実行するように構成される。資産データモジュール２００はまた、資産が処理内で使用中である間に、その資産に関連した元の資産データ、資産構成データおよび資産操作データを格納するように構成された一体型メモリ２３５、２４７を含む。資産データモジュール２００は、一体型メモリ２３５、２４７内に格納された元の資産データ、資産構成データおよび資産操作データへのアクセスを提供するように構成された近距離場通信インターフェース２４０を含む。資産データアクセスルーチンは、一体型プロセッサ２１０上で実行されるとき、元の資産データ、資産構成データおよび資産操作データへのアクセスを提供する一体型メモリ２３５上に格納される。近距離場通信インターフェース２４０は、資産データモジュールが使用中であろうと使用停止中であろうと、元の資産データおよび資産操作データへのアクセスを提供する。近距離場通信読み取り機１１０は、近距離場通信インターフェース２４０経由で元の資産データ、資産構成データおよび資産操作データへのアクセスを提供し、処理プラントデジタル自動化システム１００で元の資産データおよび資産操作データを通信させる。
【００２４】
本開示の装置の特定の利点は、爆発性環境として指定されたプラントの範囲内に導入される資産に関するものである。所与の資産は、例えば、機械バルブ本体であり得る。バルブが、バルブ本体を通して関連付けられた流れを制御するための線形または回転機構を組み込むにせよ組み込まないにせよ、対応するバルブアクチュエータは、多くの場合、空気式である。例えば、バルブアクチュエータは、印加される空気圧の増加が、バルブ本体内の開口を増加することになるように構成され得、それによって、関連付けられたバルブを通した材料の流れの増加を可能にする。典型的には、バルブコントローラは、バルブ本体に隣接して取り付けられる。バルブコントローラは、多くの場合、所与のバルブアクチュエータに接続されると、対応するバルブアクチュエータに印加される空気圧を制御する電気的に操作されるソレノイドを組み込む。バルブコントローラからバルブアクチュエータまで延びる空気配管の長さを最小限にするために、バルブコントローラは、多くの場合、対応するバルブ本体上に取り付けられる。そのアセンブリ（すなわち、バルブ本体、バルブアクチュエータおよびバルブコントローラ）が爆発性環境であることを指定されたプラントの範囲内に導入されるとき、任意の関連付けられた電気接続が、防爆形の囲い内に収容されることが要求される。トランスポンダー内に格納されたバルブアセンブリに関連付けられた構成データを有するバルブ本体を備えるパッシブなＲＦＩＤトランスポンダーを組み込むことは、爆発性環境であるとして指定されたプラントの範囲内の導入に適したアセンブリを結果としてもたらす。それ自体が防爆形の囲い内に収容される対応するバルブコントローラ内にＲＦＩＤ読み取り機を組み込むことは、バルブコントローラとバルブ本体との間に延びる外部電気接続無しにバルブコントローラへのバルブ構成データの通信を可能にする。この組み合わせと関連付けられた追加的な利点は、対応するアセンブリが自動的に構成され得ることである。バルブ構成データは、バルブ本体ＲＦＩＤトランスポンダーからバルブコントローラＲＦＩＤ読み取り機に通信される。バルブコントローラは、バルブコントローラ構成をバルブ構成データに合致させるように自動構成ルーチンを実行する。
【００２５】
ここで、図３を参照にすると、ＮＦＣシステム３００が示される。ＮＦＣシステムは、トランスポンダー３０５および読み取り機３１０を含む。トランスポンダーは、受信した磁場３１５に応答するように構成される。トランスポンダーは、ダイオード３２０、集積回路３２５、トランスポンダーアンテナ３３０、負荷変調器３３５、第１のコンデンサ３３６および第２のコンデンサ３３７を含む。読み取り機は、放射される磁場３４０のための供給源として構成される。読み取り機は、読み取り機アンテナ３４５、電源３５０、後方散乱期間検出器３５５、整流器３６０および復調器３６５を含む。共振トランスポンダーが読み取り機のアンテナの交番磁場内に置かれる（すなわち、トランスポンダーの自己共振周波数が読み取り機の伝送周波数に対応する）と、トランスポンダーは磁場からエネルギーを引き出す。電力消費は、読み取り機アンテナ内の内部抵抗でのおよび読み取り機のアンテナへの供給電流を通した電圧降下として測定される。トランスポンダーのアンテナにおける負荷抵抗のスイッチングのオンやオフは、従って、読み取り機のアンテナにおける電圧変化を生じさせ、それ故、トランスポンダーによるアンテナ電圧の振幅変調の影響がある。負荷抵抗器のスイッチングのオンやオフがデータによって制御されると、データは、トランスポンダーから読み取り機に伝送される。この種のデータ伝送は、負荷変調として呼ばれる。読み取り機内でデータを復元するために、読み取り機のアンテナで測定された電圧が整流される。これは、振幅変調された信号の復調に対応する。
【００２６】
ＲＦＩＤトランスポンダーは、少なくとも２つの主要な構成要素を含有する。一方の構成要素は、情報を格納し処理し、無線周波数（ＲＦ）信号を変調し復調するための集積回路、および他の特殊機能である。第２の主要な構成要素は、反射した信号を受信し伝達するためのアンテナである。
【００２７】
パッシブなＲＦＩＤトランスポンダーは、トランスポンダー内に含まれるメモリから読み取り得るか、そのメモリに書き込み得るマイクロプロセッサに電力を供給するために、読み取り機からの近距離場磁束を使用し得る。準パッシブなトランスポンダーは、読み取り範囲を拡張するように対応するマイクロプロセッサに電力を供給するためにバッテリを使用する。どちらの場合でも、ＲＦＩＤトランスポンダーは信号をブロードキャストしないが、その代わりに、トランスポンダーは、無線通信を確立するためにＲＦＩＤ読み取り機からの信号を変える。これは、実質的な省電力化をもたらし、電力割当量がデバイスの設計における実質的な役割を果たすフィールドデバイスに直接的に適用可能である。本明細書において概略を記した１つ以上の例示的な形態に従ってＲＦＩＤトランスポンダーを資産データモジュールに組み入れることによって、無線リンクが、最小限の電力で提供され得る。任意の所与のＲＦＩＤトランスポンダーは、メモリまたは関連付けられたプロセッサと通信するために、ＩＤＳ  Ｍｉｃｒｏｃｈｉｐ、ＡＧ  ＳＬ１３ＡまたはＡｔｍｅｌ  ＡＴ８８ＲＦ００１から利用可能であるような、シリアル周辺インターフェース（ＳＰＩ）バスを含み得る。
【００２８】
ＳＰＩバスは、全二重モードで動作する同期式シリアルデータリンク規格である。デバイスは、マスターデバイスがデータフレームを始動させるマスター／スレーブモードで通信する。複数のスレーブデバイスは、個々のスレーブ選択ラインと適応され得る。
【００２９】
１つ以上の例示的な態様によれば、ＲＦＩＤモジュール２４０を資産データモジュールに組み込むことによって、資産データへのアクセスが、通信を確立するために端子キャップを取り外すこと無く、提供される。これは、多くの処理プラントは、バルブが、例えば、オンラインであるときは非接触とする方針である（すなわち、それらが端子を短絡しバルブを破壊する危険を冒すことを望まない）ので、特に有利である。加えて、プロセッサまたはメモリと直接的に通信することによって、ＮＦＣインターフェースは、プロトコル非依存性である（すなわち、同じインターフェースが、ＨＡＲＴ、ＦＦおよびＰＲＯＦＩＢＵＳデバイスと通信するために使用され得る）。それによって、共通の読み取り機が、異なるプロトコルを有するフィールドデバイスで利用され得る。
【００３０】
ＲＦＩＤモジュールは、局所データ履歴部として機能し得る。関連付けられた資産に関連したデータは、トランスポンダー内に組み込まれたメモリ内に収集され、ＮＦＣ読み取り機を使用して所望される際にダウンロードされる。ＲＦＩＤモジュール内のプロセッサは、種々のデータを対応するＲＦＩＤ集積回路内のメモリにポピュレートする資産データルーチンを実行する。診断データは、１つの連続した通信においてＮＦＣトランスポンダーとＮＦＣ読み取り機との間で交換され得る。
【００３１】
コンタクトメモリボタン（ＣＭＢ）は、関連付けられた電子構成要素が十分に包まれるように、構成され得る。タッチメモリ（またはコンタクトメモリ）は、硬貨形のステンレス鋼容器内にパッケージ化された電子識別デバイスである。これは、タッチが問題ではないときに、特に有用である。コンタクトメモリボタンは、関連付けられたプロセッサおよびメモリの周りの防爆形筺体の使用を可能にするワイヤバスを有する。タッチメモリは、タッチプローブがメモリボタンと接触するときにアクセスされる。プローブとメモリチップとの間の読み取りおよび／または書き込み操作は、ほんの一瞬の接触で実行される。何千もの読み取りや書き込みが単一チップで実行され得、データ完全性は百年以上持続することが多い。タッチメモリは、バーコード、ＲＦＩＤトランスポンダー、磁気ストライプ、近接型カードおよびスマートカードのような技術を補完する。バーコードや磁気スワイプカードとは異なり、多くのタッチメモリソリューションは、書き込まれ得るし、ならびに読み取られ得る。タッチメモリの通信速度、および製品の幅は、ＲＦＩＤで典型的には利用可能である単純なメモリ製品よりもはるかに上に行く。ＣＭＢは、パッシブであり得、読み取り／書き込み電子データストレージを提供し得る。普通に利用可能であるＣＭＢは、４Ｇバイトまでのデータを保持する。いくつかのＣＭＢは、極限温度、放射、ＥＳＤ、ＥＭＩ、ＥＭＰ、衝撃、および振動のために設計される。これは、有害材料が処理されるプラントにおいて特に有用である。ＣＭＢは、本質的に安全な、単線式通信を提供する。ＣＭＢは、典型的には、金属の囲い内に収められる。バッテリが含まれると、準パッシブなまたはアクティブなＣＭＢが、データロガーとして構成され得る。
【００３２】
ＮＦＣおよびＢｌｕｅｔｏｏｔｈ（登録商標）は、共に、本開示に従って資産内に組み込まれ得る短距離通信技術である。以下に詳細に記載されるように、ＮＦＣはＢｌｕｅｔｏｏｔｈよりも遅い速度で動作するが、はるかに少ない電力を消費し、ペアリングを要求しない。
【００３３】
ＮＦＣは、標準Ｂｌｕｅｔｏｏｔｈよりも速くセットアップするが、Ｂｌｕｅｔｏｏｔｈ  ｌｏｗ  ｅｎｅｒｇｙ（低エネルギー）よりもずっと速くはない。２つのＮＦＣデバイス間の接続は、１０分の１秒以下で、迅速に自動的に確立される。ＮＦＣの最大データ伝送速度（４２４ｋビット／秒）は、Ｂｌｕｅｔｏｏｔｈ  Ｖ２．１のそれ（２．１Ｍビット／秒）よりも遅い。２０ｃｍより少ない最大動作距離で、ＮＦＣは、望ましくない遮断の可能性を減らす、より短い範囲を有する。それは、信号をそれの伝達物理デバイス（また、拡張してみれば、それのユーザ）と相関付けることが困難になる、互いのごく近接内にいくつかの資産を有する設備を処理することなどの、混雑した範囲に、ＮＦＣを特に適したものにする。
【００３４】
Ｂｌｕｅｔｏｏｔｈとは対照的に、ＮＦＣは、既存のパッシブなＲＦＩＤ（１３．５６ＭＨｚ  ＩＳＯ／ＩＥＣ１８０００‐３）インフラストラクチャと互換性がある。ＮＦＣは、Ｂｌｕｅｔｏｏｔｈ  Ｖ４．０  ｌｏｗ  ｅｎｅｒｇｙ（低エネルギー）プロトコルと類似して、比較的低い電力を要求する。ＲＦＩＤ‐ＮＦＣ通信システムは、デバイスパラメータを読み取るおよび／または書き込むために構成される。ＮＦＣ読み取り機は、Ｂｌｕｅｔｏｏｔｈリピータで組み込まれ得る。このようにして、カバーが、対応する資産上のＲＦＩＤモジュールの上に置かれ得、Ｂｌｕｅｔｏｏｔｈ信号は遠隔の読み取り機に送信される。
【００３５】
表１は、元の機器の製造業者または別の供給源から取得され得る元の資産データの例を描写する。資産識別、モジュールおよび通し番号は、直接エントリであり得る。一方で、対応する仕様書、導入マニュアル、保守マニュアルおよび操作マニュアルは、例えば、．ｐｄｆファイルにハイパーリンク経由で利用可能になされ得る。このデータは、対応する近距離場通信インターフェース内に設けられたメモリ、コンピュータで読み取り可能な媒体、対応する資産データモジュールのメモリ、それらの任意のサブの組み合わせまたは組み合わせ内に格納され得る。少なくとも１つの実施形態では、近距離場通信トランスポンダーは、元の資産データを対応するＮＦＣ読み取り機と交換するように提供される。任意の所与の元の資産データ表は、関連フィールドデバイス情報が含まれ得るかどうかに依存して、より多くの、またはより少ないエントリを含み得ることが理解されるべきである。
【表１】
0006417219.tif 000002
【００３６】
表２は、利用可能になされ得る構成データの例を描写する。この資産構成データは、対応するＮＦＣインターフェース内に設けられたメモリ、コンピュータで読み取り可能な媒体、対応する資産データモジュールのメモリ、それらの任意のサブの組み合わせまたは組み合わせに格納され得る。近距離場通信トランスポンダーは、資産構成データを対応するＮＦＣ読み取り機と交換するように提供される。任意の所与の構成データ表は、関連フィールドデバイス情報が含まれ得るかどうかに依存して、より多くの、またはより少ないエントリを含み得ることが理解されるべきである。
【表２】
0006417219.tif 000003
【００３７】
表２は、利用可能になされ得る構成データの例を描写する。この資産構成データは、対応するＮＦＣインターフェース内に設けられたメモリ、コンピュータで読み取り可能な媒体、対応する資産データモジュールのメモリ、それらの任意のサブの組み合わせまたは組み合わせに格納され得る。ＮＦＣトランスポンダーは、資産操作データを対応するＮＦＣ読み取り機と交換するように提供される。任意の所与の資産操作データ表は、関連フィールドデバイス情報が含まれ得るかどうかに依存して、より多くの、またはより少ないエントリを含み得ることが理解されるべきである。
【表３】
0006417219.tif 000004
【００３８】
表４は、資産保守データに関連した種々の情報を描写する。この資産保守データは、対応するＮＦＣインターフェース内に設けられたメモリ、コンピュータで読み取り可能な媒体、対応する資産データモジュールのメモリ、それらの任意のサブの組み合わせまたは組み合わせに格納され得る。ＮＦＣトランスポンダーは、資産保守データを対応するＮＦＣ読み取り機と交換するように提供される。任意の所与の資産保守データ表は、関連フィールドデバイス情報が含まれ得るかどうかに依存して、より多くの、またはより少ないエントリを含み得ることが理解されるべきである。
【表４】
0006417219.tif 000005
【００３９】
図４を参照にして、周波数グラフ４００は、半波４０５、全波４１０、１と２分の１波４１５、２波４２０、および２波を超えて無限期間までのものと共に無線周波数供給源４４０を描写する。見られるように、１つの波長間隔は近距離場領域に相関関係があり、１波から２波までの間隔は遷移ゾーンに相関関係があり、２波を超えるものは遠距離場領域に相関関係がある。本開示に係る無線通信システムのいずれかは、近距離場通信システム、遠距離場通信システムまたはそれらの組み合わせを利用し得ることが理解されるべきである。
【００４０】
ＲＦＩＤは、所与の資産の一体型部品として構成された遠隔データベースとして構成され得る。対応する資産は、設備内に機器、ツール、および重要な機器の位置を特定するために使用される実時間の位置システム（ＲＴＬＳ：ｒｅａｌ‐ｔｉｍｅ  ｌｏｃａｔｉｏｎ  ｓｙｓｔｅｍ）上で追跡され得る。近距離場通信システムは、ピアツーピア通信を提供するように構成され得る。
【００４１】
関連付けられた近距離場通信システムに関連付けられたメモリは、製造業者、製造業者の場所、通し番号（ｓｅｒｉａｌ）、装置識別子、最後のサービス日を含有する。少なくとも１つの実施形態では、インターネット接続が、資産データを遠隔データベースにつなぐために利用される。例えば、ｉＰｈｏｎｅアプリケーションは、資産データへの遠隔アクセスを提供するように構成され得る。
【００４２】
３，６００までのサンプルが、１分から５日までのサンプルレートでログを取られ得る。近距離場通信トランスポンダーは、製品温度が生産または搬送の間いつでも範囲外に出ないことを確認するために、温度に敏感な製品を追跡するために使用され得る。
【００４３】
競争部品の管理およびウェブをベースとした部品の管理は、主な資産に一体的なＮＦＣトランスポンダーを利用して増強される。近距離場通信トランスポンダーは、能率化された部品識別のために、また、無摩擦購入を提供するために利用される。データベース（すなわち、Ｏｒａｃｌｅまたは同様のものによって供給されるものなど）は、関連部品ビジネスを能率化するためにＮＦＣインターフェースと共に利用され得る。ＲＦＩＤは、部品データを暗号化するための機構として利用され得る。ＮＦＣシステムは、３Ｇ／Ｗｉ‐Ｆｉトランザクションのための安全キーを提供するように構成され得る。３Ｇを使用するＮＦＣのリンク付けは、会社のデータベース投資をてこ入れする機構を提供する。
【００４４】
デバイスレコードを最新に保つための局所データベースは、近距離場通信インターフェースを利用する。この構成は、顧客が機器レコードを保持することを補助する。ＮＦＣシステムは、資産の保守履歴、検査履歴、および較正履歴を格納するために提供され得る。ＮＦＣシステムはまた、例えば、ボルトトルク、潤滑要件などを得るための、機器チェックおよび点検のために使用され得る。ＮＦＣシステムは、例えば、データベースまたはレコードへのアクセスが限定される遠隔位置（例えば、油田地帯）において使用され得る。ＮＦＣシステムは、デバイス自体へのペーパーワークのための物理リンクを提供し得、例えば、溶接後熱処理時間のレコードなどを提供し得る。パッシブなＮＦＣシステムは、関連付けられたプロセッサ、または複数プロセッサにゼロ電力無線リンクを提供するように構成され得る。ＮＦＣシステムは、例えば、器具状態変数（ｒｅｆ、ｔｖｌ、ｐｒｅｓｓ）、警告、および／またはデバイス情報（ＦＷ  ｒｅｖ．、Ｓ／Ｎ、最後の較正日）を検索するために利用され得る。
【００４５】
準パッシブな（すなわち、関連付けられた資産データモジュールが電源を提供する）ＮＦＣシステムは、データ履歴部として構成され得る。ＮＦＣインターフェースは、分離したフィールドデバイスのためのインターフェースを提供するように構成され得る。プラント範囲の、ネットワーク化されたインフラストラクチャは、ＮＦＣシステムで要求されない。ＮＦＣシステムは、偽造または未承認部品を識別するために使用され得る。ＮＦＣシステムは、補助部品をバルブアセンブリに合致させるために利用され、大きな建設プロジェクト上の部品を管理するために使用され得る。ＮＦＣシステムは、ＵＳＢ接続が利用可能ではない場合に、ライセンス確認ドングルの代替として構成され得る。ＮＦＣシステムは、資産のための一時的に安全なメモリを提供し得る。ＮＦＣシステムは、廃棄場（ｂｏｎｅｙａｒｄ）、中間準備（ｓｔａｇｉｎｇ）範囲、または在庫において迅速に部品を発見することを補助する。資産レコードが同期から外れると、ＮＦＣシステムは、部品を発見するために部品の入れ物またはパレットをスキャンするために使用され得る。ＲＦＩＤは、容器を輸送するボール紙を通して見ることができ、従って、検査のために資産を包みから出す必要はない。従業員は、ＲＦＩＤシステムでプラント全体を通して追跡され得、有害な範囲内の従業員の位置を特定するために使用され得る。
【００４６】
この開示を読めば、当業者は、資産関連データを追跡するためのシステムや処理についての更に追加的な代替の構造的および機能的設計を認識するであろう。それ故、特定の実施形態および用途が例示され記載されたが、開示された実施形態は、本明細書に開示された厳密な構造や構成要素に限定されないことが理解される。当業者に明らかになる種々の修正、変更および変形は、添付の特許請求の範囲に定義された趣旨や範囲から逸脱すること無く、本明細書に開示された方法や装置の構成、動作および詳細になされ得る。
【図１】
0006417219.tif 000006
【図２】
0006417219.tif 000007
【図３】
0006417219.tif 000008
【図４】
0006417219.tif 000009